【手続補正書】
【提出日】平成15年10月14日(2003.10.14)
【手続補正１】
【補正対象書類名】明細書
【補正対象項目名】特許請求の範囲
【補正方法】変更
【補正の内容】
【特許請求の範囲】
【請求項１】
時系列的に再生対象とされ、その各々が一定時間範囲内で再生される複数のデータユニットであって、そのデータユニット列が圧縮されたビデオデータと副映像データを含む再生データをパケット化した複数のデータパック列から構成される記録媒体において、
上記ビデオデータのデータユニット列内に、クローズドキャプション用のデータが記録されている
ことを特徴とする記録媒体。
【請求項２】
時系列的に再生対象とされ、その各々が一定時間範囲内で再生される複数のデータユニットであって、そのデータユニット列が圧縮されたビデオデータと副映像データを含む再生データをパケット化した複数のデータパック列およびそのデータパック列の先頭に配置され、そのデータパックの再生情報および他のデータユニットとの関係を記述したナビゲーション情報が格納されているナビゲーションパックから構成される記録媒体において、
上記ビデオデータのデータユニット列内に、クローズドキャプション用のデータが記録されている
ことを特徴とする記録媒体。
【請求項３】
時系列的に再生対象とされ、その各々が一定時間範囲内で再生される複数のデータユニットであって、そのデータユニット列が圧縮されたビデオデータと副映像データを含む再生データをパケット化した複数のデータパック列から構成され、上記ビデオデータのデータユニット列内に、クローズドキャプション用のデータが記録されている記録媒体からその再生データを取出す取出手段と、
この取出手段により取出された再生データを再生信号に変換する第１の変換手段と、
上記取出手段により取出されたビデオデータ内のクローズドキャプション用のデータを抽出する抽出手段と、
この抽出手段により抽出されたクローズドキャプション用のデータを再生信号に変換する第２の変換手段と、
上記第１の変換手段により変換された再生信号と上記第２の変換手段により変換された再生信号とを合成して再生する再生手段と、
を具備したことを特徴とする再生装置。
【請求項４】
時系列的に再生対象とされ、その各々が一定時間範囲内で再生される複数のデータユニットであって、そのデータユニット列が圧縮されたビデオデータと副映像データを含む再生データをパケット化した複数のデータパック列から構成され、上記ビデオデータのデータユニット列内に、クローズドキャプション用のデータが記録されている記録媒体からその再生データを取出し、
この取出された再生データを再生信号に変換し、
上記取出されたビデオデータ内のクローズドキャプション用のデータを抽出し
、
この抽出されたクローズドキャプション用のデータを再生信号に変換し、
この変換されたクローズドキャプション用のデータの再生信号と上記変換されたデータユニットの再生信号を合成して再生する、
ことを特徴とする再生方法。
【請求項５】
時系列的に再生対象とされ、その各々が一定時間範囲内で再生される複数のデータユニットであって、そのデータユニット列が圧縮されたビデオデータと副映像データを含む再生データをパケット化した複数のデータパック列およびそのデータパック列の先頭に配置され、そのデータパックの再生情報および他のデータユニットとの関係を記述したナビゲーション情報が格納されているナビゲーションパックから構成され、上記ビデオデータのデータユニット列内に、クローズドキャプション用のデータが記録されている記録媒体からその再生データを取出し、
この取出された再生データをナビゲーション情報を参照してデータユニットを再生信号に変換し、
上記取出されたビデオデータ内のクローズドキャプション用のデータを抽出し、
この抽出されたクローズドキャプション用のデータを再生信号に変換し、
この変換されたクローズドキャプション用のデータの再生信号と上記変換されたデータユニットの再生信号を合成して再生する、
ことを特徴とする再生方法。
【請求項６】
クローズドキャプション用のデータを含む圧縮されたビデオデータと副映像データを含む再生データをパケット化した複数のデータパックを生成する生成手段と、
一定時間範囲内で再生されるべきデータパック列を単位としてデータユニットを複数用意する処理手段と、
上記データユニットを時系列的に再生可能に記録媒体に記録する記録手段と、
を具備したことを特徴とする記録装置。
【請求項７】
クローズドキャプション用のデータを含む圧縮されたビデオデータと副映像データを含む再生データをパケット化した複数のデータパックを生成する生成手段と、
一定時間範囲内で再生されるべきデータパック列を単位としてデータユニットを構成し、そのデータユニット内の先頭にそのデータパックの再生情報および他のデータユニットとの関係を記述したナビゲーション情報が格納されているナビゲーションパックを設けたデータユニットを複数用意する処理手段と、
上記データユニットを時系列的に再生可能に記録媒体に記録する記録手段と、  を具備したことを特徴とする記録装置。
【請求項８】
クローズドキャプション用のデータを含む圧縮されたビデオデータと副映像データを含む再生データをパケット化した複数のデータパックを生成し、
一定時間範囲内で再生されるべきデータパック列を単位としてデータユニットを複数用意し、
上記データユニットを時系列的に再生可能に記録媒体に記録する、
ことを特徴とする記録方法。
【請求項９】
クローズドキャプション用のデータを含む圧縮されたビデオデータと副映像データを含む再生データをパケット化した複数のデータパックを生成し、
一定時間範囲内で再生されるべきデータパック列を単位としてデータユニットを構成し、そのデータユニット内の先頭にそのデータパックの再生情報および他のデータユニットとの関係を記述したナビゲーション情報が格納されているナビゲーションパックを設けたデータユニットを複数用意し、
上記データユニットを時系列的に再生可能に記録媒体に記録する、
ことを特徴とする記録方法。
【請求項１０】
時系列的に再生対象とされ、その各々が一定時間範囲内で再生される複数のデータユニットであって、そのデータユニット列が圧縮されたビデオデータと副映像データを含む再生データをパケット化した複数のデータパック列から構成され、上記ビデオデータのデータユニット列内に、クローズドキャプション用のデータが記録されている記録媒体からその再生データを取出す取出手段と、
この取出手段により取出されたビデオデータを再生信号に変換する第１の変換手段と、
上記取出手段により取出された副映像データを再生信号に変換する第２の変換手段と、
上記取出手段により取出されたビデオデータ内のクローズドキャプション用のデータを抽出する抽出手段と、
この抽出手段により抽出されたクローズドキャプション用のデータを再生信号に変換する第３の変換手段と、
上記第１から第３の変換手段により変換された再生信号を合成して再生する再生手段と、
を具備したことを特徴とする再生装置。
【手続補正２】
【補正対象書類名】明細書
【補正対象項目名】００２０
【補正方法】変更
【補正の内容】
【００２０】
【課題を解決するための手段】
この発明の記録媒体は、時系列的に再生対象とされ、その各々が一定時間範囲内で再生される複数のデータユニットであって、そのデータユニット列が圧縮されたビデオデータと副映像データを含む再生データをパケット化した複数のデータパック列から構成されるものにおいて、上記ビデオデータのデータユニット列内に、クローズドキャプション用のデータが記録されているものである。


【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】削除
【補正の内容】
【手続補正１５】
【補正対象書類名】明細書
【補正対象項目名】００３７
【補正方法】削除
【補正の内容】
【手続補正１６】
【補正対象書類名】明細書
【補正対象項目名】００３９
【補正方法】削除
【補正の内容】
【手続補正１７】
【補正対象書類名】明細書
【補正対象項目名】００４０
【補正方法】削除
【補正の内容】
【手続補正１８】
【補正対象書類名】明細書
【補正対象項目名】００４１
【補正方法】削除
【補正の内容】